(57)【要約】【課題】本発明は、噴出物を適度の高さまで飛ばすことができ、演出効果を最大限に発揮できるクラッカー及びクラッカー用噴出物を提供することを課題とする。【解決手段】クラッカー本体と、該クラッカー本体から噴出される噴出物とを備えたクラッカーにおいて、前記噴出物は、クラッカー本体に保持された噴出物本体と、落下時に回転させる羽根体とを備えたことにある。【選択図】  図１
2004225997.tif 000002
【特許請求の範囲】
【請求項１】
クラッカー本体と、該クラッカー本体から噴出される噴出物とを備えたクラッカーにおいて、前記噴出物は、クラッカー本体に保持された噴出物本体と、落下時に回転させる羽根体とを備えたことを特徴とするクラッカー。
【請求項２】
前記噴出物は、クラッカー本体内に収納されている請求項１に記載のクラッカー。
【請求項３】
前記噴出物は、羽根体が収径する収納姿勢と、羽根体が拡径する落下姿勢とに姿勢変更自在に構成されている請求項２に記載のクラッカー。
【請求項４】
クラッカー本体から噴出されるクラッカー用噴出物であって、前記噴出物は、クラッカー本体に保持される噴出物本体と、落下時に回転させる羽根体とを備えたことを特徴とするクラッカー用噴出物。
【請求項５】
前記噴出物本体は、発泡スチロールやコルク等の軽量且つ軟質の材料からなる請求項４に記載のクラッカー用噴出物。
【発明の詳細な説明】
【０００１】
【発明の属する技術分野】
本発明は、例えば結婚式や劇場、パーティー等に限らず各種のゲーム等に用いられるクラッカー及びクラッカー用噴出物に関する。
【０００２】
【従来の技術】
従来、この種のクラッカーは、クラッカー本体を構成する筒状体内に具備された火薬体の爆発によって生ずる圧出力により、筒状体内に収納された小巻テープや紙片等の噴出物を空中発射させるものである。
【０００３】
【発明が解決しようとする課題】
前記従来のクラッカーは、噴出物として小巻テープを使用した場合には、遠方には勢い良く飛ばすことができるが、屋内で使用した場合には、小巻テープが天上に当接したり、天上に設けられた電灯等に引っ掛かってしまい、噴出物での演出効果が十分に発揮できない場合が多かった。
【０００４】
また、噴出物としての紙片は、単に落下するだけであるため、その落下時の変化が少なく、前記同様に演出効果を十分に発揮できるものではなく、演出効果を最大限に発揮できるクラッカーの要望が大であった。
【０００５】
そこで、本発明は、噴出物を適度の高さまで飛ばすことができ、演出効果を最大限に発揮できるクラッカー及びクラッカー用噴出物を提供することを課題とする。
【０００６】
【課題を解決するための手段】
本発明は前記課題を解決するためにクラッカー及びクラッカー用噴出物としてなされたものであり、クラッカーとしての特徴は、クラッカー本体と、該クラッカー本体から噴出される噴出物とを備えたクラッカーにおいて、前記噴出物は、クラッカー本体に保持された噴出物本体と、落下時に回転させる羽根体とを備えたことにある。
【０００７】
そして、クラッカー本体から打ち上げられた噴出物は、羽根体を備えていることから、その羽根体が空気抵抗となり、所定の高さまでしか上昇することはない。従って、かかるクラッカーを結婚式や劇場等の屋内で使用した場合に、天上等に当接するのを防止できる。しかも、噴出物は、落下時に、羽根体に空気抵抗が作用するため、回転しながらゆっくりと落下することとなる。
【０００８】
また、前記噴出物は、クラッカー本体内に収納されている場合には、噴出物の羽根体をクラッカー本体で保護することができる。
【０００９】
更に、前記噴出物は、羽根体が収径する収納姿勢と、羽根体が拡径する落下姿勢とに姿勢変更自在に構成されているのが好ましい。かかる場合には、収納されている羽根体がクラッカー本体内で破損等するのを防止できると共に、噴出後には、何ら支障なく羽根体を回転させながら落下させることが可能となる。
【００１０】
クラッカー用噴出物としての特徴は、クラッカー本体から噴出されるクラッカー用噴出物であって、前記噴出物は、クラッカー本体に保持される噴出物本体と、落下時に回転させる羽根体とを備えたことにある。
【００１１】
前記噴出物本体は、発泡スチロールやコルク等の軽量且つ軟質の材料からなる。
【００１２】
【発明の実施の形態】
以下、本発明の実施の形態について図面を参照しながら説明する。
図１及び図２は本発明の第１実施の形態を示し、本実施の形態のクラッカーは、円錐形状を呈する筒状体１を備え、該筒状体１の内部には、該筒状体１の先端部２から露出された引紐３が連設された火薬体５と、該火薬体５を保持する冠座体７が収納されている。尚、筒状体１、引紐３、火薬体５及び冠座体７によりクラッカー本体９が構成されている。
【００１３】
前記筒状体１の先端部の開口部８には、噴出物１０が装着されている。該噴出物１０は、例えば、発泡スチロールやコルク等の軽量且つ軟質の材料からなる円板状の噴出物本体１１と、該複数（本実施の形態では３枚）の羽根体１２とからなる。噴出物本体１１の外周面１１ａは、テーパー状を呈しており、そのテーパー面１１ａが、筒状体１の先端部の内周面１ａに所定の摩擦抵抗を有して嵌合して保持されている。
【００１４】
前記羽根体１２は、羽毛からなり、その羽柄１３が前記噴出物本体１１に上方から取り付けられている。具体的には、羽根体１２は斜め放射状で且つ、心材となる羽柄１３は、図２（ロ）に示す如く噴出物本体１１の周方向に向けて挿通されている。このように、各羽根体１２を一方向に向けることにより、噴出物１０が落下する際に、羽根体に作用する空気抵抗で回転し易くすることが可能となる。
【００１５】
次に上記のような構成からなるクラッカーを使用する場合について説明する。先ず、前記引紐３を引くと火薬体５が爆発する。このときの爆発によって生ずる圧出力が、噴出物１０の噴出物本体１１の内面に作用し、噴出物１０を筒状体３の外部へ押し出そうとする力が生じる。かかる力によって噴出物１０は、筒状体１から係合が解除されて上方へ発射される。
【００１６】
発射された噴出物１０は、その羽根体１２が若干の空気抵抗となり、所定の高さまで上昇する。クラッカーを結婚式や劇場等の屋内で使用した場合に、クラッカーに使用される火薬は規定されていることから、その爆発力では、かかる噴出物１０は所定の高さまでしか上昇することはない。そして、所定の高さまで打ち上げられた噴出物１０は、図２（イ）に示す如く羽根体１２が空気抵抗となり、回転しながら落下するため、興味に富んだものとなる。
【００１７】
図３に本発明の第２実施の形態を示す。尚、前記第１実施の形態と同一部材は、同一符号を付してその説明は省略する。本実施の形態は、前記噴出物１０が筒状体１内に収納され、しかも、噴出物１０は筒状体１の片端部（先端部）に開閉自在に屈曲された複数のフラップ片１５で閉塞されている。尚、噴出物１０の羽根体１２は、弾性力を有しているため、筒状体１に収納した際に、噴出物本体１１の中心側に湾曲させさておくことができる。
【００１８】
従って、引紐３を引いて火薬体５を爆発させると、その爆発力により噴出物１０が押し出されると共に、フラップ１５が開放され、噴出物１０が発射される。そして、所定の高さまで打ち上げられた噴出物１０は、前記第１実施の形態と同様に、回転しながら落下することとなる。
【００１９】
図４及び図５に発明の第３実施の形態を示す。尚、前記第１実施の形態と同一部材は、同一符号を付してその説明は省略する。本実施の形態は、筒状体１が全長にわたって同径の円筒状を呈している。また、噴出物１０の噴出物本体１１は、前記筒状体１の形状に対応して円柱状を呈している。
【００２０】
前記引紐３を引いて火薬体５を爆発させると、その爆発力により噴出物１０が押し出されて発射される。そして、所定の高さまで打ち上げられた噴出物１０は、図５に示す如く前記第１実施の形態と同様に、回転しながら落下することとなる。
【００２１】
図６に発明の第４実施の形態を示す。尚、前記第３実施の形態と同一部材は、同一符号を付してその説明は省略する。本実施の形態は、円筒状の筒状体１内に噴出物１０が収納されている。該噴出物１０の羽根体１２の羽柄１３は、屈曲されて関節部が形成されている。従って、噴出物１０が縮径して筒状体１内に収納された収納姿勢時には、各羽根体１２の羽根体１２は屈曲状態となっている。そして、火薬体５を爆発させると、噴出物１０が噴出されるが、このとき、空気抵抗により、各羽根体１２は、関節部の弾性力により放射状に開いた落下姿勢に姿勢変更する。この結果、噴出物１０は、図６（イ）に示す如く回転しながら落下することとなる。
【００２２】
また、前記噴出物１０の羽根体１２を収納姿勢と、落下姿勢とに姿勢変更させる手段として、図７に示すものであっても良い。具体的には、噴出物本体１１は、各羽根体１２が固定された円板状の取付体１８と、該取付体１８の下面で且つ中心に固定された支持部１９と、該支持部１９が相対的に摺動自在に挿通され且つ直径が前記取付体１８よりも若干小さい受圧体２０とからなる。尚、取付体１８は、使用される筒状体１の所定の位置で保持されるように、筒状体１の内周面に所定の摩擦抵抗が生じる大きさの直径に設定されている。
【００２３】
そして、取付体１８には各羽根体１２の羽柄１３が挿通されていると共に、取付体１８には、切り込みを形成することにより、複数の扇状の支持片２１が罫線２３を介して上下方向に屈曲自在に形成されている。各支持片２１には、前記羽柄１３の先端部が固定されている。
【００２４】
かかる噴出物１０は、第２実施の形態又は第４実施の形態に示したように、筒状体１内に収納される。そして、図７（イ）に示す噴出物１０の収納姿勢において、各支持片２１が下方に屈曲されると、各羽根体１２は略垂直状態（縮径状態）の収納姿勢となる。このとき、取付体１８に対して受圧体２０は離間した状態になっている。
【００２５】
そして、火薬体５を爆発させると、筒状体１内に収納された噴出物１０の受圧体２０に爆発力が作用かすることから、受圧体２０は支持部１９を摺動して取付体１８に接近又は接触する。この受圧体２０の移動と共に噴出物１０が押し出されて発射されるのであるが、受圧体２０は各支持片２１を上方に押圧することから、各支持片２１は受圧体２０と略面一となり、各羽根体１２は落下姿勢となる（図７（ロ）参照）。尚、噴出物１０の上昇時には、空気抵抗の相乗効果により確実に各羽根体１２は落下姿勢となる。噴出物１０は、図６（イ）に示す如く回転しながら落下することとなる。
【００２６】
また、前記噴出物１０の羽根体１２を収納姿勢と、落下姿勢とに姿勢変更させる手段として、図８（イ）及び（ロ）に示す如く噴出物本体１１に対して羽根体１２を回転させるようにしても良い。具体的には、噴出物本体１１に挿入された羽柄１３を中心にして、各羽根体１２を回転させることにより、羽根体１２を収納姿勢（同図（イ）参照）と、落下姿勢（同図（ロ）参照）とに姿勢変更させることができる。
【００２７】
従って、噴出物１０を筒状体１に収納する際には、羽根体１２を収納姿勢にしておいて、噴出させた上昇時には、羽根体１２は空気抵抗により落下姿勢となり、その状態で回転しながら落下する。
【００２８】
本発明は、前記それぞれの実施の形態に限定されるものではなく、筒状体１の形状は断面円形に限らず、矩形状等であっても良い。筒状体１の形状が矩形状等の場合には、噴出物１０の噴出物本体１１の形状も筒状体１の形状に対応して設定される。また、羽根体１２の個数も任意に設定可能である。しかも、噴出物１０を筒状体１に収納する場合には、紙テープ等の他の飛散物を収納しても良い。更に、羽根体１２は、羽柄１３が噴出物本体１１の周方向に向けて挿通する以外に、中心に向けたものであっても良い。
【００２９】
【発明の効果】
本発明は、噴出物が噴出物本体と、落下時に回転させる羽根体とを備えた構成であるため、噴出物を適度に飛ばすことができ、しかも、噴出物を回転させて落下させることができるため、演出効果を最大限に発揮できる。
【図面の簡単な説明】
【図１】本発明の第１実施の形態を示す全体断面を示す正面図である。
【図２】同噴出物を示し、（イ）は正面図、（ロ）は概略平面図である。
【図３】本発明の第２実施の形態を示す全体断面を示す正面図である。
【図４】本発明の第３実施の形態を示す全体断面を示す斜視図である。
【図５】同噴出物の斜視図である。
【図６】本発明の第４実施の形態を示し、（イ）は全体を示す斜視図、（ロ）は噴出物の斜視図である。
【図７】本発明の噴出物を示し、（イ）は収納状態を示す斜視図、（ロ）は落下状態を示す斜視図である。
【図８】本発明の噴出物を示し、（イ）は収納状態を示す斜視図、（ロ）は落下状態を示す斜視図である。
【符号の説明】
９…クラッカー本体、１０…噴出物、１２…羽根体
【図１】
2004225997.tif 000003
【図２】
2004225997.tif 000004
【図３】
2004225997.tif 000005
【図４】
2004225997.tif 000006
【図５】
2004225997.tif 000007
【図６】
2004225997.tif 000008
【図７】
2004225997.tif 000009
【図８】
2004225997.tif 000010